(57)【特許請求の範囲】
【請求項１】
ユーザに対して少なくとも１個のオーディオメッセージを音声として出力するためのおもちゃであって、該おもちゃは、
複数のオーディオメッセージを記憶しさらに記憶されたオーディオメッセージを音声として出力するためのオーディオ回路、
予め決められた範囲内に身体の一部分を検出して存在信号を発生するためのプロキシミター、
複数の位置信号を受信するための受信機であって、前記複数の位置信号はおもちゃが占めうる予め定義されたエリアにおける複数の位置に設けられた複数の送信機から送信され、前記各位置信号は前記複数の位置の１個の位置を指定するものである、受信機、
受信した位置信号に応答してメッセージ信号を発生するための制御回路であって、該メッセージ信号は前記オーディオ回路によって音声として出力されるべき記憶された複数のオーディオメッセージの少なくとも１個を指定するものである、制御回路、を有し、
前記オーディオ回路は前記プロキシミターによって前記存在信号が発生されると、前記メッセージ信号によって指定された少なくとも１個のオーディオメッセージを音声として出力するものである、おもちゃ。
【請求項２】
前記制御回路は、前記受信した位置信号と現在の時刻とに応答してメッセージ信号を発生する、請求項１に記載のおもちゃ。
【請求項３】
前記オーディオ回路は、存在信号が発生される毎に少なくとも１個の記憶されたオーディオメッセージを繰り返す、請求項１に記載のおもちゃ。
【請求項４】
前記オーディオ回路は音声として出力される少なくとも１個の記憶されたオーディオメッセージのそれぞれの前に、前置きを音声として出力する、請求項３に記載のおもちゃ。
【請求項５】
前記制御回路は、受信した位置信号に応答してアラーム信号をさらに発生するものであり、
前記アラーム信号に応答して、ユーザに、少なくとも１個の記憶されたオーディオメッセージが音声として出力されるべく指定されていることを知らせるための出力を発生するアラーム、をさらに含む、請求項４に記載のおもちゃ。
【請求項６】
前記アラームは、プロキシミターが存在信号を発生するまで少なくとも１個の記憶されたオーディオメッセージが指定されていることを、ユーザに通知することを繰り返す、請求項５に記載のおもちゃ。
【請求項７】
娯楽的環境において使用するためのおもちゃであって、
前記娯楽的環境におけるおもちゃの位置を検出するための位置検出回路、および検出された位置に応答しておもちゃの行動を制御するための行動制御回路を有し、
前記位置検出回路は、前記おもちゃの位置を検出するために複数の位置信号を受信する受信機をふくみ、前記複数の位置信号はおもちゃが占めうる予め定義されたエリアにおける複数の位置に設けられた複数の送信機から送信され、前記各位置信号は前記複数の位置の１個の位置を指定するものであり、
前記行動制御回路は、
複数のオーディオメッセージを記憶しかつ記憶された複数のオーディオメッセージを音声として出力するためのオーディオ回路と、
受信した位置信号に応答してメッセージ信号を発生するための制御回路であって、該メッセージ信号はオーディオ回路によって音声として出力されるべき少なくとも１個の記憶されたオーディオメッセージを指定するものである、制御回路と、
予め決められた範囲内に身体の一部分の存在を検出して存在信号を発生するためのプロキシミター、とを含み、
前記オーディオ回路は、前記プロキシミターによって前記存在信号が発生されると、前記メッセージ信号によって指定された少なくとも１個のオーディオメッセージを音声として出力するものである、おもちゃ。
【請求項８】
前記制御回路は受信した位置信号に応答してアラーム信号を発生し、前記行動制御回路は、前記アラーム信号に応答してユーザに少なくとも１個の記憶されたオーディオメッセージが音声として出力されるべく指定されていることを知らせるための出力を発生するアラームを含む、請求項７に記載のおもちゃ。
【請求項９】
前記アラームは、プロキシミターが存在信号を発生するまで前記出力を繰り返して発生して、ユーザに少なくとも１個の記憶されたオーディオメッセージが音声として出力されるべく指定されていることを通知する、請求項８に記載のおもちゃ。
【請求項１０】
前記アラームは、前記出力として振動を形成するための振動子を含む、請求項８に記載のおもちゃ。
【請求項１１】
前記オーディオ回路は、プロキシミターが存在信号を発生する毎に少なくとも１個の記憶されたメッセージを再度、音声として出力するものである、請求項７に記載のおもちゃ。
【請求項１２】
前記受信機によって同じ位置信号が連続して受信される場合、前記オーディオ回路は少なくとも１個の記憶されたオーディオメッセージを定期的に音声として出力する、請求項７に記載のおもちゃ。
【請求項１３】
前記受信機によって異なる位置信号が受信されるまで、前記オーディオ回路は少なくとも１個の選択されたオーディオメッセージを定期的に音声として出力する、請求項７に記載のおもちゃ。
【請求項１４】
更に、おもちゃのデータを逆送信するための送信機を有する、請求項７に記載のおもちゃ。
【請求項１５】
おもちゃの中に設けたオーディオ回路に複数のオーディオメッセージを記憶するステップ、
前記おもちゃに設けたプロキシミターによって予め決められた範囲内に身体の一部分の存在が検出されると前記プロキシミターが存在信号を発生するステップ、
前記おもちゃに設けた受信機によって複数の位置信号を受信するステップであって、前記複数の位置信号はおもちゃが占めうる娯楽環境内の複数の位置に設けられた複数の送信機から送信され、前記各位置信号は前記複数の位置の１個の位置を指定するものである、前記受信するステップ、
オーディオ回路によって音声として出力されるべき少なくとも１個の記憶されたオーディオメッセージを指定するメッセージ信号を、前記おもちゃに設けた制御回路により、受信した位置信号に応答して発生するステップ、
前記存在信号に応答して、前記メッセージ信号によって指定された前記オーディオメッセージを前記オーディオ回路によって音声として出力するステップ、を含む、おもちゃの行動を制御するための方法。
【請求項１６】
おもちゃを娯楽的環境の中で使用する方法であって、前記方法は、
前記おもちゃの中に設けたオーディオ回路に複数のオーディオメッセージを記憶するステップ、
娯楽的環境における前記おもちゃの位置を決定するステップ、
決定された位置に応答して前記おもちゃの行動を制御するステップを含み、
前記娯楽的環境において前記おもちゃの位置を決定するステップは、
前記おもちゃの位置を決定するために前記おもちゃに設けた受信機によって複数の位置信号を受信するステップであって、前記複数の位置信号はおもちゃが占めうる娯楽環境内の複数の位置に設けられた複数の送信機から送信され、前記各位置信号は前記複数の位置の１個の位置を指定するものである、前記受信するステップを含み、
前記決定された位置に応答して前記おもちゃの行動を制御するステップは、
前記オーディオ回路によって音声として出力されるべき少なくとも１個の記憶されたオーディオメッセージを指定するメッセージ信号を、前記おもちゃに設けた制御回路により、受信した位置信号に応答して発生するステップ、
前記おもちゃに設けたプロキシミターによって、前記おもちゃの予め決められた範囲内で身体の一部分の存在が検出されると前記プロキシミターが存在信号を発生するステップ、さらに
前記存在信号に応答して、前記メッセージ信号によって指定された少なくとも１個のオーディオメッセージを前記オーディオ回路によって音声として出力するステップを含む、おもちゃを娯楽的環境の中で使用する方法。
【請求項１７】
前記決定された位置に応答して前記おもちゃの行動を制御するステップは、更に
受信した位置信号に応答してアラーム信号を発生するステップと、
前記アラーム信号に応答して、少なくとも１個の記憶されたオーディオメッセージが音声として出力されるべく指定されていることを、ユーザに通知するための出力を発生するステップ、を含む、請求項１６に記載の方法。
【発明の詳細な説明】
【０００１】
発明の背景
発明の分野
本発明は一般におもちゃの分野に関し、更に特定すると、おもちゃのユーザに対して位置に敏感な行動応答を提供するためのおもちゃとその方法に関する。
【０００２】
本発明は様々な娯楽的環境、例えば巡航客船、テーマパーク、リゾート、およびリゾートホテルを前提としているが、特に、例えば娯楽テーマパークまたは教育施設のような娯楽的環境において使用されることに適しており、特にこの関連において説明される。
【０００３】
従来技術の説明
位置依存型の予め記録されたメッセージを上演する従来のモバイル機器は周知である。モバイル機器を所持する人間が送信機の範囲内に来た場合常に、このモバイル機器が、予め記録されたメッセージを上演する。このようなモバイル機器は、スーパーマーケットの手押しカートにインストールされている。手押しカートが固定送信機の範囲内に来た場合、予め記録されたメッセージがモバイル機器に送信される。このメッセージは、例えば、近くの棚の上にある特定製品の特別なディスカウントオファーであり、またはブランドのための広告である。モバイル機器が送信機の範囲内に来た場合、個々の買物客に聞かせるために同じメッセージを上演（音声として出力）する。この機器は、また、個人により携帯され、イヤホーンと接続されて買物客が他の買物客を妨害することなく送られたメッセージを聞くことを可能にし、また教育的な目的のために公的なギャラリーおよび公園で使用される。
【０００４】
このモバイル機器は、同じメッセージをすべての買物客に提供する場合には適切であるけれども、メッセージを個々の買物客に合うように調整することを望む場合には適していない。さらに、メッセージが自動的に伝達され上演されるので、買物客はメッセージの伝達に対してコントロールを全く持たない。また、イヤホーンはユニットに費用を追加し、かつ押し付けがましい。これらの不利益は買物客を煩わし、買物客が機器を使用する気をなくさせる。
【０００５】
さらに、送信機から受信した制御データ信号に応答して、動きかつ話し、その行動を変えるリモートコントロールのおもちゃは周知である。ビデオおよび無線制御で動きかつ話をするテディベアは、ＶＣＲに接続された制御装置によって送信される制御データ信号を受信する。テディベアは、制御データ信号にしたがって動き、話をする。このシステムは、テディベアおよび制御装置によって室内の子供または複数の子供を遊ばせるためには適しているけれども、室内の異なる子供にあわせてメッセージを作成しまたは子供に対してメッセージの上演を制御するには適していない。
【０００６】
したがって、その位置に基づいて行動を変える娯楽的環境のためのおもちゃおよびその方法の必要性が存在する。更に、おもちゃのユーザによって少なくとも部分的に制御され、かつユーザに対して特別に仕立てられた行動を有することが望ましい。
【０００７】
発明の簡単な要約
したがって、この必要性に取り組もうとする本発明は、おもちゃとそのための方法にある。ここに記載されたおもちゃは、その行動が位置に敏感で、客によって制御可能でさらに客に対して特別に仕立てられていると言う点で、既知のおもちゃに対して利点を有している。
【０００８】
本発明によれば、おもちゃの行動はその位置にしたがって変更される。オーディオメッセージがおもちゃの中に記憶され、送信機から位置信号を受信することに応答してそれを上演（音声として出力）する。これは、テーマパーク内の位置を示す位置信号を受信するオンボード受信機、およびオーディオメッセージを記憶しかつ上演するオンボードオーディオ回路によって達成される。制御回路は受信した位置信号に応答してメッセージ信号を発生する。メッセージ信号は、その位置に対して上演されるべき記憶されたオーディオメッセージを指定する。このようにして、ユーザに対して特別に仕立てられたメッセージがおもちゃの中に記憶され、ユーザの位置に従って選択されかつ上演される。制御回路は、上演すべきメッセージを選択する論理において、かなりの精巧さを与える。
【０００９】
本発明の特徴によれば、オーディオメッセージはユーザの行動に応答して上演される。これは、オブジェクト（身体の一部分）がプロキシミター（近接装置）の予め決められた範囲内に存在することを検出して存在信号を発生するプロキシミターによってスタートされ、オーディオ回路は、指示され記憶されたオーディオメッセージまたは存在信号に応答するメッセージを上演する。この結果、客はメッセージを聞くことあるいは聞かないことを選択することができる。
【００１０】
本発明の更に詳細な特徴によれば、ユーザはメッセージが上演されるべく待機していることを警告される。これは、位置信号を受信したとき制御回路によって起動されるアラームによって達成される。この結果、ユーザはメッセージを聞くために行動しなければならないことを知るであろう。
【００１１】
本発明の更に他の特徴によれば、おもちゃは、性能データを逆送信する。これは、オンボード送信機によって達成される。この結果、おもちゃの性能データが分析され、機器の行動またはその位置のエリア内でのショーが性能データに基づいて変更され、かつおもちゃは相互に影響し合う。
【００１２】
本発明のその他の特徴および効果は、本発明の好ましい実施形態を説明し図示する以下の記載および添付の図面において述べられており、この分野の熟練者にとって、添付の図面を参照して以下の詳細な説明を検証することにより明らかとなり、あるいは本発明の実施によって理解することができるであろう。本発明の効果は、添付の請求の範囲で特に指摘した手段およびその組み合わせによって、実現され達成される。
【００１３】
好ましい実施形態の説明
テーマパークは、償却するために何十年もかかる莫大な出費を伴う。パークの新鮮さが失われると、新規の客および繰り返し来る客をひきつける興奮を維持することが非常に難しくなる。一般に、テーマパークの所有者は増大する経費を伴う大きな新しいアトラクションを常に追加する必要性を感じている。
【００１４】
「オーバーレイ」と言う概念は、パークの楽しいインフラストラクチャーをもっぱら使用して新しく楽しい経験を作り出すことである。このような経験の一つは、客が、人に愛されかつ知識が豊富な友達、即ち客を楽しませる交流を持ちながらその客と常に一緒である友達と、パーク内を行くことである。
【００１５】
一例としての図面、特に、本発明にしたがって構成されたテーマパーク１０の単純化しかつ一般化した図であり、複数の位置送信機１２およびユーザまたはテーマパークの客１４を示す図１に示す様に、本発明は、自身の位置に基づいてその行動を修正するおもちゃ１６を含む。
【００１６】
このおもちゃは、長い腕をしたフックおよびループファスナーで手首に着ける、小さなぬいぐるみの動物で有っても良い。ユーザがこのおもちゃを起動しようと欲する場合、ユーザは動物の口をユーザの耳に近づける。この行動をセンサが検知して一またはそれ以上の人をもてなすオーディオメッセージをトリガし、これによって動物がユーザの耳にささやく感覚を作り出す。更に、このおもちゃは、近くの位置送信機の存在を検出するセンサを有している。これによって、おもちゃは、現在の位置にマッチしたオーディオメッセージを正しく選択することができる。さらに、ユーザがランダムに位置によって駆動されるメッセージを発見するのを待つよりもむしろ、面白いメッセージが待っていることをおもちゃによって知らせる。
【００１７】
この結果、このおもちゃは、初めての客およびリピータをテーマパークにひきつける全く新しい方法で、既存のテーマパークのインフラストラクチャーを使用することを可能とする。このおもちゃは、古い方法で、望ましく新しい経験を、愛すべき方法で作り出すが、おもちゃを持たない客の経験を損なうことはない。
【００１８】
この図示した実施形態では、位置送信機１２は、テーマパーク１０のあちこち、例えば、乗り物の位置および乗り物またはパビリオンの入り口および出口、に配置されている。各送信機は位置信号１８をカバーするエリアに渡って送信する。位置信号は、テーマパークのエリア内でおもちゃが占める特定の位置を示す。カバーエリア内のおもちゃは位置信号を検出し、これによってテーマパーク内でのその位置を「知る」。
【００１９】
好ましい実施形態では、位置送信機１２は規則的なパターンの赤外光線を発射する。これらの光線は人間の目では見る事ができないが、しかし適切なセンサによって簡単に検出することができる。更に、赤外エネルギは、ごく特定のエリアをカバーするように、レンズによって焦点合わせしかつ指向させることができる。これによって、相互の重大な干渉を生じることなく複数の送信機を密接に配置することができる。この構成により、各位置送信機は独特にコード化された信号を送信し、その結果、特定の位置識別（ＩＤ）番号によって各カバーエリアを電子的にラベル付けすることができる。おもちゃの中の適切なセンサおよび電子機器がこの位置ＩＤ番号を検出することができる。反対に、おもちゃはその位置によって異なる行動をする。
【００２０】
図１に示す位置送信機１２の一般化された機能ブロック図である図２に示す様に、送信機は、所定の送信機に対して正しい順序で光線を作り出すためのマイクロプロセッサ２０を含んでいる。ドライバ回路２２はマイクロプロセッサからの電圧パルスを、一またはそれ以上の赤外（ＩＲ）発光ダイオード２４を駆動するために使用される電流限定パルスに変換する。一連のスイッチ２６は送信機に対して独特のコードを設定するために使用される。更に、ＩＲ受信機モジュール２８が、位置送信機を遠隔で制御する、例えばオン、オフし、送信コードを変えまたは出力レベルを変えるために、使用される。送信機をアクセスすることが難しい位置に取り付けるためには、これは望まれる構成である。適切なＩＲ受信機は、Ｖｉｓｈａｙ−Ｔｅｌｅｆｕｎｋｅｎから入手できるモデル番号ＴＳＯＰ１８３８であり、適切なＩＲ送信機はＶｉｓｈａｙ−Ｔｅｌｅｆｕｎｋｅｎから入手できるモデル番号ＴＳＡＬ６２００である。
【００２１】
多くの異なるコード化構成が可能であるが、好ましい実施形態では、３８キロヘルツオンーオフキーモジュレーション、２４００ボー、８ビット、１ストップビット、ノーパリティ送信フォーマットを使用する。これは、家庭用機器のＩＲリモートコントロールと類似しており、例えば低コストのＩＲ受信機モジュールのような標準部品を使用することが可能である。
【００２２】
当業者は、このおもちゃが、位置送信機からの位置信号を受信する以外の方法でその位置を「知る」ことができることを知っている。例えばこのおもちゃは、全地球測位システム、三角測量、埋め込みインダクションコイル、慣性誘導システムなどによってその位置を決定する位置決定回路を有している。
【００２３】
図３は、図１に示すおもちゃ１６の一般化された機能ブロック図である。おもちゃは、例えば動物のぬいぐるみのようなビロードのおもちゃであっても良い。おもちゃのハードウエアは、受信機３０、制御回路３２およびオーディオ回路、プロキシミター、アラーム、およびオンボード送信機３４および関連するドライバ３６を含む。
【００２４】
受信機３０は、おもちゃ１６がカバーエリア内に入った場合位置送信機１２の位置信号１８を受信する。位置信号に応答して、受信機は受信した位置信号４６を提供する。適切なＩＲ受信機は、Ｖｉｓｈａｙ−Ｔｅｌｅｆｕｎｋｅｎから入手できるモデル番号ＴＳＯＰ１８３８ＳＳ３Ｖである。当業者であれば、おもちゃの位置を決定するために選択した手段に受信機が依存することを理解するであろう。
【００２５】
オーディオ回路は、オーディオメッセージを記憶しそれらを上演する。図示したオーディオ回路は、スピーカ３８、記憶されたオーディオメッセージを含む音声システム４０およびスピーカを駆動するために十分な電力を供給するための増幅器４２を含んでいる。適切なボイスシステムは、Ｉｎｔｅｇｒａｔｅｄ−Ｓｏｕｎｄ−Ｄｅｖｉｃｅｓから入手可能なモデル番号４００３であり、さらに例えばＰａｎａｓｏｎｉｃで作られたスピーカのような多くの市販のスピーカのどれであっても、記載した応用事例に対して適している。
【００２６】
マイクロプロセッサおよびオーディオ回路は別個の物として示されているが、当業者であればこれらの部品を等価な一個のオーディオプロセッサ回路に結合することができることを理解するであろう。
【００２７】
おもちゃの中にメッセージを記憶させることによって、客に対してメッセージを特注することが可能となる。例えば、メッセージは異なる言語で有っても良い。あるいは、両親であるユーザに対するメッセージは子供であるユーザに対するメッセージとは異なっていても良い。両親と子供が同じ位置にいる場合に同じメッセージを聞くよりも、むしろ両親と子供は異なるメッセージを聞く。
【００２８】
多くの市販マイクロプロセッサのいずれでもよい制御回路３２はおもちゃの行動を制御する。例えば、制御回路は、受信位置信号４６に応答してメッセージ信号４４を生成する。メッセージ信号は、オーディオ回路で上演されるべき記憶されたメッセージ、またはメッセージグループを示す。
【００２９】
プロキシミターは、プロキシミターの範囲内のオブジェクト（身体の一部分）の存在を検出し、これに応答して存在信号４８を発生する。図示する実施形態では、プロキシミターはプロキシミティ電極５０とプロキシミティセンサ回路５２を含む。適切なプロキシミターは、Ｑｕａｎｔｕｍ-Ｒｅｓｅａｒｃｈ-Ｇｒｏｕｐ、Ｌｉｍｉｔｅｄから入手可能な内部モデル番号ＱＴ１１０−Ｓである。このプロキシミターにおいて、プロキシミティ電極は、容量を形成するフレキシブルテープである。動物の鼻を構成するフレキシブルテープはユーザの耳の近くに持って来られているので、容量変化は、オブジェクトの存在を検出するために使用される。フレキシブルテープはおもちゃの「豪奢さ」に貢献する。
【００３０】
オーディオ回路は、存在信号に応答して指示された記憶メッセージを上演するようにプログラムされる。この結果、指示された記憶オーディオメッセージ、またはメッセージは、プロキシミターの予め決められた範囲内でおもちゃをユーザの耳のそばに置くとき、おもちゃのユーザによって聞くことができる。
【００３１】
このおもちゃは、更にアラーム構成を含むことができる。図示する実施形態では、このアラームは、モータドライバ５６と例えば偏心重量を有するモータのような振動子５８を含んでいる。適切な市販のモータドライバおよびモータをいくつでも使用することができる。
【００３２】
制御回路３２は、受信位置信号４６に応答してアラーム信号５４を生成する。アラームはアラーム信号に応答して、おもちゃを振動させることによって、上演すべき少なくとも１個のオーディオメッセージが待っていることをユーザに知らせる。
【００３３】
オンボードＩＲ送信機３４および関連するドライバ３６はおもちゃが信号を送信することを可能とする。この能力に対して多くの可能な使用法がある。そのうちの一つは、おもちゃが性能データを集め、このデータをデータ収集システムに送信することである。性能データは客によって訪問される位置、客によるある位置への繰り返し訪問の数、応答されまたは無視されたアラート、電源レベルなどである。適切なオンボード送信機は、Ｖｉｓｈａｙ−Ｔｅｌｅｆｕｎｋｅｎから入手可能なモデル番号ＴＳＡＬ６２００である。
【００３４】
別の使用法は、ある位置のスマート送信機が、そのおもちゃが他のどのような位置に居たかを理解するために、おもちゃに問い合わせをすることである。その位置のエリア内での機器の行動またはショーは、以前に訪問した位置に基づいて変化することがある。
【００３５】
更にその他の使用法は、別のおもちゃによって検出され得る信号を定期的に送信することである。この結果、おもちゃは別のおもちゃの存在を発見することが可能で、それによってこれらのおもちゃは適切に交流することができる。このような交流は、性能データによって影響され、例えば、一方は行った事があるが他方はまだである訪問すべき位置を一個のおもちゃに示唆させることのような、洗練された行動を可能とする。
【００３６】
このような交流をなるべく自然にするために、上述のおもちゃのハードウエアはおもちゃの中に隠されている。例えば、プロキシミティ電極およびスピーカは口の中に、受信機およびオンボード送信機は耳の中に、振動子は足の一本の中に隠すことができる。その他のハードウエアは、ぬいぐるみの中に隠すことができる。更に、ハードウエアに対して低電力の機器を使用することにより、オン/オフスイッチの必要性を除くことができる。共に受け入れたこれらおよびその他の工夫は、愛らしい友人と言う幻想を作り上げる助けをする。
【００３７】
以下に、好ましい実施形態の基本的な動作について説明する。
まず、ユーザ１４は、おもちゃの腕または足の上のフックおよびループファスナーを使用して、自身の腕におもちゃ１６を取り付ける。ユーザの耳までおもちゃを持ち上げることによって、一個またはそれ以上の、位置に特定されないオーディオメッセージをトリガする。この行動は、希望するだけ、繰り返すことができる。ユーザが位置送信機１２のカバーエリアを通過する場合、おもちゃは送信された位置識別コードを検出して、適切な行動順序を指示する。最も典型的には、この行動は腕を振り、ユーザがおもちゃを自身の耳まで持ってくるまで待ち、その後この位置に適切なオーディオメッセージを上演する。ユーザがもしおもちゃの注意に答えないと、おもちゃは再度腕を振ることによってこの通知を繰り返す。
【００３８】
ユーザが更に答えないと、おもちゃは自身の通常の静かなモードに戻る。ユーザがメッセージを聞く事を妨げられる大きなノイズあるいはその他のイベントが上演されている間にある場合、即時に返答する構成を有している。これにより、おもちゃを自身の耳に再度配置することにより、「繰り返します」のような短い説明的なヘッダまたは前置きと共に、ユーザがメッセージを再上演させることが可能となる。この構成は、不適切なメッセージを異なる位置で上演することを防止するために、適切な時間の後でタイムアウトすることができる。
【００３９】
本発明は、その他の、異なる実施形態を実現することができ、その幾つかの詳細は変更することができる。当業者にとって理解し得るように、好ましい実施形態では制御回路３２、オーディオ回路、プロキシミターおよびアラームを含む行動制御回路は、聞くことおよび接触することを超えたユーザの感覚に影響を与えるように、おもちゃの行動を修正することができる。感覚的印象は、上述したようにオーディオおよび物理的な動きであり、さらに熱、匂い、および、例えば電球を点灯することあるいは液晶表示装置のディスプレイを変えることのような、視覚的変化であっても良い。
【００４０】
更に、おもちゃの行動の制御は、例えばおもちゃが行った事のある位置の履歴、以前の位置でそのおもちゃが如何に行動したかに関する履歴、時間およびユーザがそのおもちゃと如何に交流したかの履歴に依存することができる。
【００４１】
おもちゃが行ったことのある位置の履歴に依存する行動制御の一例は、そのエリアの乗り物に既に乗ったことがあるか否かに基づいた行動の修正である。例えば、ユーザがその乗り物に乗った後にそこを出た時点で、おもちゃのユーザによってユーザがその乗り物に乗ったことを示すフラグとして記憶される信号を、出口送信機がおもちゃに送る。この乗り物のエリアに再び入った場合、この乗り物のエリアに最初に入ったときに上演されたメッセージと異なるメッセージが上演されるであろう。別の例では、ユーザが近くにある乗り物が別の位置でユーザが既に乗った乗り物と似ていると言うメッセージを、おもちゃが上演することである。更に、既に乗った乗り物とは似ていない乗り物をおもちゃが提案することである。パークを通り抜けるユーザの経路に依存する道順を示すこともできる。
【００４２】
以前の位置でおもちゃが如何に行動したかの履歴に依存する行動制御の一例は、ある位置でジョークを設定し、ジョークの設定がされた場合にのみ他の位置でその落ちを与えることに基づいて、行動を修正することを含んでいる。別の例では、ある位置に２度目に入った場合メッセージセットを変えること、即ちその位置に居る間に最初には聞いたことがない、その位置に対するメッセージを上演することである。
【００４３】
時間に依存する行動制御の一例は、一日の時間に基づいて、ある位置での時間に基づいて、あるいは以前の位置での時間に基づいて行動を修正することを含んでいる。例えば、時間が、例えば１１：００ａｍと２：００ｐｍの間である場合にレストランのある位置を通過した時、おもちゃが昼食を提案することができる。更に、おもちゃが、ランチタイムにレストランのある位置に居たことを知っていれば、ランチタイムであってもおもちゃは昼食を取るよう提案するメッセージを上演することはない。時間に依存する他の例では、位置に依存するセルフタイムのメッセージを上演することである。例えば、もしユーザが乗り物に入ろうとして長いラインにたっている場合、待っている間にユーザを楽しませるために、時間ごとに異なるメッセージグループを上演することである。
【００４４】
おもちゃとどのようにユーザがかかわったに関する履歴に依存する行動制御の一例は、ユーザがあるタイプのメッセージに応答するか否かに基づいておもちゃの行動を修正することを含む。例えば、おもちゃは、ユーザがあるタイプのメッセージに応答するか否かを検出し、しない場合将来においてそれらのメッセージを廃止することを含む。
【００４５】
制御回路およびオーディオ回路は、上演すべきメッセージを選択する論理において高度の複雑性を持っている。例えば、あるメッセージは一度だけ上演され、その他は複数回上演されることができる。その他のメッセージは、一回きりよりも、位置送信機の順序から認識コードを見ることに依存している。当業者であれば、制御回路を簡単にプログラムして、メッセージまたは、上演されるべきメッセージを選択するメッセージ信号を生成することができる。
【００４６】
位置コードに対する通常の応答に加え、更に複雑な行動が可能である。例えば、複数の送信機によってエリア全体を包み込もうとするよりは、一個の位置送信機をそのエリアへの狭い入り口に設定し、別の位置送信機を出口側に設定することができる。この場合、おもちゃはセルフタイムモードに入ることが可能で、これによって２個の送信機間で定期的にメッセージを送る。セルフタイムモードおよび定期的メッセージの構成は、送信機のカバー範囲内に留まっているユーザに対しても適用することができる。
【００４７】
結論として、ここに記載したおもちゃはテーマパークに対して刺激的なオーバーレイを提供する。おもちゃは、位置依存の、客によって制御可能で、かつ客に対して特別に仕立てられたメッセージを上演する。これは主に、身に着けることができるおもちゃの中にオーディオメッセージを記憶させ、位置信号およびユーザのアクションに応答してこれらのメッセージをおもちゃによって上演させることによって達成される。
【００４８】
当業者であれば、本発明のおもちゃおよびこのおもちゃの構成および動作において、本発明の範囲または精神から離れることなく種々の修正および変更をなし得ることが理解されるであろう。
【図面の簡単な説明】
【図１】本発明によって構成されたテーマパークの単純化しかつ一般化した図であり、特に複数の位置送信機、おもちゃおよびおもちゃのユーザを示している。
【図２】図１に示す位置送信機の一般化した機能ブロック図。
【図３】図１に示すおもちゃの、一般化した機能ブロック図。
【図１】
0003790118.tif 000002
【図２】
0003790118.tif 000003
【図３】
0003790118.tif 000004